(57)【要約】【課題】地球の北極と南極は、約１００万年の周期で逆転する。これはどのような事が原因なのか。太陽系の回転と電子の回転との関係はどのようであるか。【解決手段】太陽系はオリオンの腕を２００万年で１回転する。この事によって、北極と南極は２回逆転する。オリオンの腕を回転する太陽と惑星は、まるで、電子のラブと磁気の光子のように回転している。その相似性を、回転距離と運動エネルギーから理解する。太陽の運動エネルギーは、走った距離×太陽の質量×太陽の軌道エネルギーである。それで、太陽を粒子と考えると、粒子の運動エネルギーは、走った距離×粒子の質量×粒子の軌道エネルギーである。この事から、粒子の１秒間の運動エネルギー＝１秒間に走った距離×粒子の質量×粒子の軌道エネルギー＝１秒間に走った距離×粒子のエネルギー  である事が理解できた。【選択図】図５
2006217793.tif 000002
【特許請求の範囲】
【請求項１】
地球の北極と南極が約１００万年で入れ替わるのは、地球が１００万年で半回転し、北極と南極が逆になるからです。地球は２００万年で１回転する。地球は太陽と共に２００万年で１回転する。太陽系は２００万年で１回転する。
【請求項２】
太陽系は銀河系のオリオンの腕を２００万年で１回転する。太陽系は直径約１３００光年のオリオンの腕の内側の縁の部分にあるので、太陽系は直径１３００光年の腕の周囲を回転している。
太陽系は２００万年で３．１４×１３００光年走る。太陽系は１００万年で３．１４×１３００÷２光年走る。
それで、北極と南極は逆方向になる。
【請求項３】
太陽系はどのように腕を回転し、銀河系を回転するか。
太陽系は銀河系の中心から約２．８万光年離れていて、太陽系は約２億５千万年で銀河系の中心を１週する。
それで、太陽系は腕を２００万年で１週するから、銀河系を１週するとき、腕を、
２．５×１０８年÷（２×１０６年）＝１．２５×１０２回転する。
太陽系は腕を１週し、銀河系を、
３．１４×２×２．８×１０４×９．４６×１０１５ｍ÷（１．２５×１０２回転）＝１．３３×１０１９ｍ進む。
太陽系は腕を回転しながら、腕が銀河系を回転するので、腕と共に銀河系を回転する。
腕を１回転し、１３００×３．１４×９．４６×１０１５ｍ＝３．８６×１０１９ｍ走る。
腕を１回転する間に、銀河系を、１．３３×１０１９ｍ進む。
太陽系はらせん状に走る。
腕の周りを３．８６×１０１９ｍ走り１回転しながら、銀河系を１．３３×１０１９ｍ進む。
【請求項４】
太陽系が腕の周囲を回転する時、どのようになっているか。
太陽系がオリオンの腕を１週するとき、地球は２×１０６回転する。
地球が１回転する時進む距離は、
３．１４×１３００×９．４６×１０１５ｍ÷（２×１０６回転）＝１．９３×１０１３ｍです。
太陽系は１年に腕を１．９３×１０１３ｍ進む。
太陽系の中で地球は、１公転して、３．１４×３×１０１１ｍ＝９．４２×１０１１ｍ走ります。
地球の秒速は、９．４２×１０１１ｍ÷（３６５×２４×６０×６０）＝２．９８×１０４ｍです。
太陽系が腕を走る秒速は、１．９３×１０１３ｍ÷（３６５×２４×６０×６０）＝６．１×１０５ｍです。
太陽系が腕を走る秒速＝螺旋状に走る秒速は６．１×１０５ｍです。
【請求項５】
太陽系が腕の周囲を回転する時、地球の北極と南極はどのようになっているか。
▲１▼  太陽系の惑星は、太陽の軌道に対し垂直にクロス回転している。
▲２▼  地球の北極と南極を示す軸は惑星の回転軌道に対し垂直です。
▲３▼  よって、地球の北極と南極を示す軸は太陽の軌道と同じ方向です。
▲４▼  太陽が９０度回転すると、地球の北極と南極を示す軸は９０度回転する。太陽が１８０度回転すると、地球の北極と南極を示す軸は１８０度回転する。それで、北極と南極は入れ替わる。
【請求項６】
太陽系と電子のラブとの関係について。
太陽系の回転は２つに大別される。
１つはオリオンの腕の周囲を２００万年で回転するものです。
２つは銀河系を２億５千万年で回転するものです。
☆まず、オリオンの腕の周囲を２００万年で１回転する事について。
▲１▼  走る距離について。軌道について。
太陽の走る距離は、１３００×３．１４×９．４６×１０１５ｍ＝３．８６×１０１９ｍです。
惑星は太陽の軌道をクロス回転しています。
地球の軌道は、３×１０１１ｍで、１週する距離は、３×１０１１ｍ×３．１４＝９．４２×１０１１ｍです。
水星の軌道は、０．５７９×１０１１ｍ×２＝１．１５８×１０１１ｍで、１週する距離は、１．１５８×１０１１ｍ×３．１４＝３．６３６×１０１１ｍです。
太陽の走る距離：地球が１週する距離：水星が１週する距離＝太陽の軌道：地球の軌道：水星の軌道＝３．８６×１０１９ｍ：９．４２×１０１１ｍ：３．６３６×１０１１ｍ＝１．０６×１０８：２．５９：１
太陽の軌道：水星の軌道＝１０８：１＝電子のラブの公転軌道：電子のラブの自転軌道＝電気の光子の軌道：磁気の光子の軌道
太陽の軌道を電子のラブの公転軌道とすると、水星の軌道は電子のラブの自転軌道とみなす事ができる。
太陽の軌道を電子のラブの公転軌道（＝電気の光子の軌道）とすると、水星の軌道は磁気の光子の軌道とみなす事ができる。
▲２▼  回転数について。
太陽は１回転する。
地球は２×１０６回転する。
水星は２×１０６回×１÷０．２４０９＝８．３×１０６回転する。
▲３▼  運動量について。運動エネルギーについて。
太陽が腕を１週すると、運動量は、
運動量＝走った距離×質量＝１３００×３．１４×９．４６×１０１５ｍ×１．９８９×１０３０Ｋｇ＝７．６８×１０４９ｍ・Ｋｇです。
地球が２×１０６回転する運動量は、
運動量＝走った距離×質量＝３×１０１１ｍ×３．１４×２×１０６×５．９７４×１０２４Ｋｇ＝１．１２５５×１０４３ｍ・Ｋｇです。
太陽の軌道エネルギーは、地球の軌道エネルギーの１０３倍ですから、
太陽の運動エネルギー＝太陽が走った距離×太陽の質量×太陽の軌道エネルギー＝１３００×３．１４×９．４６×１０１５ｍ×１．９８９×１０３０Ｋｇ×１０３＝７．６８×１０５２ｍ・Ｋｇ
地球の運動エネルギー＝地球が走った距離×地球の質量×地球の軌道エネルギー＝３×１０１１ｍ×３．１４×２×１０６×５．９７４×１０２４Ｋｇ×１＝１．１２５５×１０４３ｍ・Ｋｇ
太陽の運動エネルギー：地球の運動エネルギー＝７．６８×１０５２：１．１２５５×１０４３＝６．８２×１０９：１
惑星の軌道エネルギー×質量について。
太陽から発せられる光子のエネルギーは、遠くなるほどエネルギーは弱まるので、惑星の軌道エネルギーは太陽からの距離に反比例する。
それで、惑星の軌道エネルギーの比は、１÷距離です。
惑星の軌道エネルギー×質量の比は、１÷距離×質量です。
それで、惑星の軌道エネルギー×質量の比は、
水星：金星：地球：火星：木星：土星：天王星：海王星：冥王星＝１÷０．５×０．０５５：１÷１．０８×０．８１５：１÷１．５×１：１÷２．２８×０．１：１÷７．７８×３１７．８：１÷１４．３×９５．２：１÷２８．７５×１４．５：１÷４５×１７．１５：１÷５９×０．００２３＝０．１１：０．７５５：０．６６７：０．０４３９：４０．９：６．６５：０．５：０．３８：０．００００３８９です。
惑星の軌道エネルギー×質量の比は地球を１とする場合いくらか。
水星：金星：地球：火星：木星：土星：天王星：海王星：冥王星＝０．１１：０．７５５：０．６６７：０．０４３９：４０．９：６．６５：０．５：０．３８：０．００００３８９＝０．１６：１．１３：１：０．０６５８：６１．３２：９．９７：０．７５：０．５７：０．００００５８
惑星の平均は、
０．１６＋１．１３＋１＋０．０６５８＋６１．３２＋９．９７＋０．７５＋０．５７÷８＝９．３７
それで、太陽の運動エネルギー：地球の運動エネルギー＝６．８２×１０９：１ですから、
太陽の運動エネルギー：惑星の平均の運動エネルギー：地球の運動エネルギー＝６．８２×１０９：９．３７：１＝７．３×１０８：１：０．１です。
よって、太陽の運動エネルギー：惑星の平均の運動エネルギー＝７．３×１０８：１です。
よって、太陽の運動エネルギーは、惑星の平均運動エネルギーの７．３×１０８倍である。
太陽の運動エネルギー：惑星の運動エネルギー＝７．３×１０８：１≒電子のラブの公転軌道エネルギー：電子のラブの自転軌道エネルギー＝電気の光子の軌道エネルギー：磁気の光子の軌道エネルギー
太陽の軌道を電子のラブの公転軌道とすると、惑星の軌道は電子のラブの自転軌道とみなす事ができる。
太陽の軌道を電子のラブの公転軌道（＝電気の光子の軌道）とすると、惑星の軌道は磁気の光子の軌道とみなす事ができる。
☆  次に、銀河系を２億５千万年で回転することについて。
▲１▼  走る距離について。
太陽の走る距離は、２．８×１０４×２×３．１４×９．４６×１０１５ｍ＝１．６６×１０２１ｍです。
太陽系は腕を１週するとき、銀河系を何ｍ進むか。
１．６６×１０２１ｍ÷１２５回＝１．３２８×１０１９ｍ進みます。
腕を１回転し、らせん状に、１．３２８×１０１９ｍ進みます。
太陽系は２００万年走り、腕を１週し、１３００×３．１４×９．４６×１０１５ｍ＝３．８６×１０１９ｍ走る。そして、銀河系を１．３２８×１０１９ｍ進みます。
太陽系は２億５０００万年走って、腕を１２５週し、３．８６×１０１９ｍ×１２５＝４．８２５×１０２１ｍ走る。
そして、銀河系を、１．３２８×１０１９ｍ×１２５＝１．６６×１０２１ｍ進みます。
太陽の走った距離は、４．８２５×１０２１ｍです。
地球の走った距離は、３×１０１１ｍ×３．１４×２×１０４回×１２５回＝２．３５９×１０１８ｍです。
水星の走った距離は、１．１５８×１０１１ｍ×３．１４×２×１０４回×１２５回＝９．０９×１０１７ｍです。
太陽の走った距離：地球の走った距離：水星の走った距離＝４．８２５×１０２１ｍ：２．３５９×１０１８ｍ：９．０９×１０１７ｍ＝５．３×１０３：６．４９：１
▲２▼  回転数について。
太陽は１２５回転する。
地球は１２５×２×１０６＝２．５×１０８回転する。
水星は１２５×８．３×１０６＝１．０３７５×１０９回転する。
▲３▼  運動量について。運動エネルギーについて。
太陽の運動量と運動エネルギーは、腕を回転する場合の１２５倍です。
地球の運動量と運動エネルギーは、腕を回転する場合の１２５倍です。
惑星の運動エネルギーの比については、腕を回転する場合と同じです。
太陽が銀河系を１週すると、運動量は、
運動量＝走った距離×質量＝１３００×３．１４×９．４６×１０１５ｍ×１２５×１．９８９×１０３０Ｋｇ＝９．６×１０５１ｍ・Ｋｇです。
地球が２×１０６回転×１２５回転する運動量は、
運動量＝走った距離×質量＝３×１０１１ｍ×３．１４×２×１０６×１２５×５．９７４×１０２４Ｋｇ＝１．４０７×１０４５ｍ・Ｋｇです。
太陽の軌道エネルギーは、地球の軌道エネルギーの１０３倍ですから、
太陽の運動エネルギー＝太陽が走った距離×太陽の質量×太陽の軌道エネルギー＝１３００×３．１４×９．４６×１０１５ｍ×１２５×１．９８９×１０３０Ｋｇ×１０３＝９．６×１０５４ｍ・Ｋｇ
地球の運動エネルギー＝地球が走った距離×地球の質量×地球の軌道エネルギー＝３×１０１１ｍ×３．１４×２×１０６×１２５×５．９７４×１０２４Ｋｇ×１＝１．４０７×１０４５ｍ・Ｋｇ
太陽の運動エネルギー：地球の運動エネルギー＝９．６×１０５４：１．４０７×１０４５＝６．８２×１０９：１
惑星の軌道エネルギーの比は、地球を１とすると、惑星の平均は、
０．１６＋１．１３＋１＋０．０６５８＋６１．３２＋９．９７＋０．７５＋０．５７÷８＝９．３７
それで、太陽の運動エネルギー：地球の運動エネルギー＝６．８２×１０９：１ですから、
太陽の運動エネルギー：惑星の平均の運動エネルギー：地球の運動エネルギー＝６．８２×１０９：９．３７：１＝７．３×１０８：１：０．１です。
よって、太陽の運動エネルギー：惑星の平均の運動エネルギー＝７．３×１０８：１です。
よって、太陽の運動エネルギーは、惑星の運動エネルギーの７．３×１０８倍である。
太陽の運動エネルギー：惑星の運動エネルギー＝７．３×１０８：１≒電子のラブの公転軌道エネルギー：電子のラブの自転軌道エネルギー＝電気の光子の軌道エネルギー：磁気の光子の軌道エネルギー
太陽の軌道を電子のラブの公転軌道とすると、惑星の軌道は電子のラブの自転軌道とみなす事ができる。
太陽の軌道を電子のラブの公転軌道（＝電気の光子の軌道）とすると、惑星の軌道は磁気の光子の軌道とみなす事ができる。
○銀河系における太陽と惑星の関係は、腕における太陽と惑星の関係を１２５倍したものです。
【請求項７】
宇宙はどのように回転しているか。
宇宙の中で、銀河は回転している。銀河の中で星は回転している。星は太陽のように回転している。星は腕を回転し、腕は銀河を回転する。それで、結局、星は銀河を螺旋状に回転している。
【請求項８】
Ｅ＝ｍｃ２で算出したエネルギーは爆発のエネルギーです。爆発のエネルギーでないエネルギーはどれ位なのか。爆発でないエネルギーはどのような式で求められるのか。
Ｅ＝ｍｃ２で算出した電子の質量ｍｇは、
８×１０−１４Ｊ＝ｍｇ×９×１０１６ｍ
ｍｇ＝８×１０−１４Ｊ÷（９×１０１６ｍ）＝０．８９×１０−３０Ｊ／ｍ＝０．８８９×１０−３０ｇです。
このエネルギーは爆発のエネルギーです。
Ｅ＝ｍｃ２で算出した陽子の質量ｍｇは、
１．５×１０−１０Ｊ＝ｍｇ×９×１０１６ｍ
ｍｇ＝１．５×１０−１０Ｊ÷（９×１０１６ｍ）＝１．６６７×１０−２７Ｊ／ｍ＝１．６６７×１０−２７ｇです。
このエネルギーは爆発のエネルギーです。
それでは、爆発のエネルギーでないエネルギーはどれ位なのか。
爆発でないエネルギーはどのような式で求められるのか。
本発明者は、運動エネルギーで考える。
この事は太陽の運動エネルギーから理解できます。
太陽の運動エネルギー＝太陽が走った距離×太陽の質量×太陽の軌道エネルギー
太陽の質量×太陽の軌道エネルギー＝太陽のエネルギー
太陽を粒子と考えます。
そうしますと、
粒子のエネルギー＝粒子の質量×粒子の軌道エネルギー
粒子の運動エネルギー＝粒子が走った距離×粒子の質量×粒子の軌道エネルギー
粒子が電子の場合。
電子の１秒間の運動エネルギー＝電子が１秒間に走った距離×粒子の質量×粒子の軌道エネルギー
粒子の軌道エネルギー＝ｘとします。
８×１０−１４Ｊ＝３．１４×１．２５×１０−１０ｍ×１０１６回×０．８８９×１０−３０ｇ×ｘ
ｘ＝８×１０−１４Ｊ÷（３．１４×１．２５×１０−１０ｍ×１０１６回×０．８８９×１０−３０ｇ）＝２．２９×１０１０Ｊ
粒子が陽子の場合。
陽子の１秒間の運動エネルギー＝陽子が１秒間に走った距離×粒子の質量×粒子の軌道エネルギー
粒子の軌道エネルギー＝ｙとします。
８×１０−１４Ｊ＝３．１４×６．６７×１０−１４ｍ×１０１６回×１．６６７×１０−２７ｇ×ｙ
ｙ＝８×１０−１４Ｊ÷（３．１４×６．６７×１０−１４ｍ×１０１６回×１．６６７×１０−２７ｇ）＝２．２９×１０１０Ｊ
よって、電子の場合も陽子の場合も、粒子の軌道エネルギーは２．２９×１０１０Ｊです。
運動エネルギーの場合、
粒子のエネルギー＝粒子の質量×粒子の軌道エネルギー  ですから、
粒子のエネルギー＝粒子の質量×２．２９×１０１０Ｊです。
よって、爆発の場合、
粒子のエネルギーは、Ｅ＝ｍｃ２ですが、
運動エネルギーの場合、
粒子のエネルギーは、Ｅ＝粒子の質量×２．２９×１０１０Ｊ＝２．２９×１０１０Ｊ×ｍです。
Ｅ＝ｍｋとすると、ｋ＝２．２９×１０１０Ｊです。
この事は、原子の中の軌道エネルギーは、この空中のエネルギーの２．２９×１０１０倍であるという事です。
この式で得る、電子のエネルギーは、
Ｅ＝０．８８９×１０−３０ｇ×２．２９×１０１０Ｊ＝２×１０−２０Ｊです。
陽子のエネルギーは、
Ｅ＝１．６６７×１０−２７ｇ×２．２９×１０１０Ｊ＝３．８１７×１０−１７Ｊです。
よって、
電子の１秒間の運動エネルギー＝電子が１秒間に走った距離×粒子の質量×粒子の軌道エネルギー＝電子が１秒間に走った距離×粒子のエネルギー＝電子が１秒間に走った距離×電子のエネルギー
８×１０−１４Ｊ＝３．１４×１．２５×１０−１０ｍ×１０１６回×０．８８９×１０−３０ｇ×２．２９×１０１０Ｊ＝３．１４×１．２５×１０−１０ｍ×１０１６回×２×１０−２０Ｊ
陽子の１秒間の運動エネルギー＝陽子が１秒間に走った距離×粒子の質量×粒子の軌道エネルギー＝陽子が１秒間に走った距離×粒子のエネルギー＝陽子が１秒間に走った距離×陽子のエネルギー
８×１０−１４Ｊ＝３．１４×６．６７×１０−１４ｍ×１０１６回×１．６６７×１０−２７ｇ×２．２９×１０１０Ｊ＝３．１４×６．６７×１０−１４ｍ×１０１６回×３．８１７×１０−１７Ｊ
【発明の詳細な説明】
【技術分野】
【０００１】  本発明は銀河において星はどのように回転するのか。銀河系において太陽系はどのように回転するのか。太陽と惑星の回転と、電子の回転の相似について。太陽の運動エネルギーと粒子の運動エネルギーについて。
【背景技術】
【０００２】  太陽系は銀河系を回転する事は解っているが、太陽系がオリオンの腕を回転する事は解っていない。太陽の回転と惑星の回転は、電子の回転と相似である事は理解されていない。アインシュタインによってＥ＝ｍｃ２であると解明された。このエネルギーは爆発のエネルギーである。粒子のエネルギーの式をＥ＝ｍＫとすると、Ｋの値はいくらであるか解明されていない。
【発明の開示】
地球の北極と南極は約１００万年で入れ替わる。これは、地球が１００万年で半回転し、北極と南極が逆の方向を向くようになるからです。これは、太陽系が２００万年でオリオンの腕を１週するからです。オリオンの腕を回転する太陽と惑星は、まるで、電子の公転と自転のように回転している。
太陽の運動エネルギーによって粒子の運動エネルギーを理解できる。
【発明が解決しようとする課題】
【０００３】１．地球の北極と南極が約１００万年で入れ替わるのはどうしてか。
２．太陽系は銀河系のオリオンの腕を２００万年で１回転する。
３．太陽系はどのように腕を回転し、銀河系を回転するか。
４．太陽系が腕の周囲を回転する時、どのようになっているか。
５．太陽系が腕の周囲を回転する時、地球の北極と南極はどのようになっているか。
６．太陽系と電子のラブとの関係について。
７．宇宙はどのように回転しているか。
８．Ｅ＝ｍｃ２で算出したエネルギーは爆発のエネルギーです。爆発のエネルギーでないエネルギーはどれ位なのか。爆発でないエネルギーはどのような式で求められるのか。
【課題を解決するための手段】
【０００４】  赤道でも氷河期があった。その間、動物たちはどのように過ごしていたのか。動物たちは暖かい方に移動していた。１００万年ごとに地磁気の逆転があったのは、太陽系はオリオンの腕を２００万年で１週するからです。
オリオンの腕の直径は１３００光年です。太陽系はその縁に居て、腕を２００万年で１週します。そして、銀河系を２億５０００万年で１週します。
太陽系はオリオンの腕を回転しながら、オリオンの腕が銀河系を回転するので、それに従い、銀河系をらせん状に進みます。
オリオンの腕を回転する時、太陽を惑星たちはクロス回転する。この様子は電子のラブが公転し、自転しているのに相似である。回転する距離と回転する運動エネルギーからこのことを理解する。
太陽の運動エネルギーから粒子の運動エネルギーを理解する。太陽を粒子とみなす事によって、粒子の運動エネルギーが理解でき、粒子のエネルギーを求める式が理解できる。
【発明の実施態様】
【０００５】１．  地球の北極と南極が約１００万年で入れ替わるのは、地球が１００万年で半回転し、北極と南極が逆になるからです。地球は２００万年で１回転する。地球は太陽と共に２００万年で１回転する。太陽系は２００万年で１回転する。
２．  太陽系は銀河系のオリオンの腕を２００万年で１回転する。太陽系は直径約１３００光年のオリオンの腕の内側の縁の部分にあるので、太陽系は直径１３００光年の腕の周囲を回転している。
太陽系は２００万年で３．１４×１３００光年走る。太陽系は１００万年で３．１４×１３００÷２光年走る。
それで、北極と南極は逆方向になる。
３．  太陽系はどのように腕を回転し、銀河系を回転するか。図１
太陽系は銀河系の中心から約２．８万光年離れていて、太陽系は約２億５千万年で銀河系の中心を１週する。
それで、太陽系は腕を２００万年で１週するから、銀河系を１週するとき、腕を、
２．５×１０８年÷（２×１０６年）＝１．２５×１０２回転する。
太陽系は腕を１週し、銀河系を、
３．１４×２×２．８×１０４×９．４６×１０１５ｍ÷（１．２５×１０２回転）＝１．３３×１０１９ｍ進む。
太陽系は腕を回転しながら、腕が銀河系を回転するので、腕と共に銀河系を回転する。
腕を１回転し、１３００×３．１４×９．４６×１０１５ｍ＝３．８６×１０１９ｍ走る。
腕を１回転する間に、銀河系を、１．３３×１０１９ｍ進む。
太陽系はらせん状に走る。
腕の周りを３．８６×１０１９ｍ走り１回転しながら、銀河系を１．３３×１０１９ｍ進む。
４．  太陽系が腕の周囲を回転する時、どのようになっているか。図２
太陽系がオリオンの腕を１週するとき、地球は２×１０６回転する。
地球が１回転する時進む距離は、
３．１４×１３００×９．４６×１０１５ｍ÷（２×１０６回転）＝１．９３×１０１３ｍです。
太陽系は１年に腕を１．９３×１０１３ｍ進む。
太陽系の中で地球は、１公転して、３．１４×３×１０１１ｍ＝９．４２×１０１１ｍ走ります。
地球の秒速は、９．４２×１０１１ｍ÷（３６５×２４×６０×６０）＝２．９８×１０４ｍです。
太陽系が腕を走る秒速は、１．９３×１０１３ｍ÷（３６５×２４×６０×６０）＝６．１×１０５ｍです。
太陽系が腕を走る秒速＝螺旋状に走る秒速は６．１×１０５ｍです。
５．  太陽系が腕の周囲を回転する時、地球の北極と南極はどのようになっているか。図３
▲１▼  太陽系の惑星は、太陽の軌道に対し垂直にクロス回転している。
▲２▼  地球の北極と南極を示す軸は惑星の回転軌道に対し垂直です。
▲３▼  よって、地球の北極と南極を示す軸は太陽の軌道と同じ方向です。
▲４▼  太陽が９０度回転すると、地球の北極と南極を示す軸は９０度回転する。太陽が１８０度回転すると、地球の北極と南極を示す軸は１８０度回転する。それで、北極と南極は入れ替わる。
６．  太陽系と電子のラブとの関係について。図４
太陽系の回転は２つに大別される。
１つはオリオンの腕の周囲を２００万年で回転するものです。
２つは銀河系を２億５千万年で回転するものです。
☆まず、オリオンの腕の周囲を２００万年で１回転する事について。図４
▲１▼  走る距離について。軌道について。
太陽の走る距離は、１３００×３．１４×９．４６×１０１５ｍ＝３．８６×１０１９ｍです。
惑星は太陽の軌道をクロス回転しています。
地球の軌道は、３×１０１１ｍで、１週する距離は、３×１０１１ｍ×３．１４＝９．４２×１０１１ｍです。
水星の軌道は、０．５７９×１０１１ｍ×２＝１．１５８×１０１１ｍで、１週する距離は、１．１５８×１０１１ｍ×３．１４＝３．６３６×１０１１ｍです。
太陽の走る距離：地球が１週する距離：水星が１週する距離＝太陽の軌道：地球の軌道：水星の軌道＝３．８６×１０１９ｍ：９．４２×１０１１ｍ：３．６３６×１０１１ｍ＝１．０６×１０８：２．５９：１
太陽の軌道：水星の軌道＝１０８：１＝電子のラブの公転軌道：電子のラブの自転軌道＝電気の光子の軌道：磁気の光子の軌道
太陽の軌道を電子のラブの公転軌道とすると、水星の軌道は電子のラブの自転軌道とみなす事ができる。
太陽の軌道を電子のラブの公転軌道（＝電気の光子の軌道）とすると、水星の軌道は磁気の光子の軌道とみなす事ができる。
▲２▼  回転数について。
太陽は１回転する。
地球は２×１０６回転する。
水星は２×１０６回×１÷０．２４０９＝８．３×１０６回転する。
▲３▼  運動量について。運動エネルギーについて。
太陽が腕を１週すると、運動量は、
運動量＝走った距離×質量＝１３００×３．１４×９．４６×１０１５ｍ×１．９８９×１０３０Ｋｇ＝７．６８×１０４９ｍ・Ｋｇです。
地球が２×１０６回転する運動量は、
運動量＝走った距離×質量＝３×１０１１ｍ×３．１４×２×１０６×５．９７４×１０２４Ｋｇ＝１．１２５５×１０４３ｍ・Ｋｇです。
太陽の軌道エネルギーは、地球の軌道エネルギーの１０３倍ですから、
太陽の運動エネルギー＝太陽が走った距離×太陽の質量×太陽の軌道エネルギー＝１３００×３．１４×９．４６×１０１５ｍ×１．９８９×１０３０Ｋｇ×１０３＝７．６８×１０５２ｍ・Ｋｇ
地球の運動エネルギー＝地球が走った距離×地球の質量×地球の軌道エネルギー＝３×１０１１ｍ×３．１４×２×１０６×５．９７４×１０２４Ｋｇ×１＝１．１２５５×１０４３ｍ・Ｋｇ
太陽の運動エネルギー＝地球の運動エネルギー＝７．６８×１０５２：１．１２５５×１０４３＝６．８２×１０９：１
惑星の軌道エネルギー×質量について。
太陽から発せられる光子のエネルギーは、遠くなるほどエネルギーは弱まるので、惑星の軌道エネルギーは太陽からの距離に反比例する。
それで、惑星の軌道エネルギーの比は、１÷距離です。
惑星の軌道エネルギー×質量の比は、１÷距離×質量です。
それで、惑星の軌道エネルギー×質量の比は、
水星：金星：地球：火星：木星：土星：天王星：海王星：冥王星＝１÷０．５×０．０５５：１÷１．０８×０．８１５：１÷１．５×１：１÷２．２８×０．１：１÷７．７８×３１７．８：１÷１４．３×９５．２：１÷２８．７５×１４．５：１÷４５×１７．１５：１÷５９×０．００２３＝０．１１：０．７５５：０．６６７：０．０４３９：４０．９：６．６５：０．５：０．３８：０．００００３８９です。
惑星の軌道エネルギー×質量の比は地球を１とする場合いくらか。
水星：金星：地球：火星：木星：土星：天王星：海王星：冥王星＝０．１１：０．７５５：０．６６７：０．０４３９：４０．９：６．６５：０．５：０．０２２：０．０００３８８＝０．１６：１．１３：１：０．０６５８：６１．３２：９．９７：０．７５：０．５７：０．００００５８
惑星の平均は、
０．１６＋１．１３＋１＋０．０６５８＋６１．３２＋９．９７＋０．７５＋０．５７÷８＝９．３７
それで、太陽の運動エネルギー：地球の運動エネルギー＝６．８２×１０９：１ですから、
太陽の運動エネルギー：惑星の平均の運動エネルギー：地球の運動エネルギー＝６．８２×１０９：９．３７：１＝７．３×１０８：１：０．１です。
よって、太陽の運動エネルギー：惑星の平均の運動エネルギー＝７．３×１０８：１です。
よって、太陽の運動エネルギーは、惑星の平均運動エネルギーの７．３×１０８倍である。
太陽の運動エネルギー：惑星の運動エネルギー＝７．３×１０８：１≒電子のラブの公転軌道エネルギー：電子のラブの自転軌道エネルギー＝電気の光子の軌道エネルギー：磁気の光子の軌道エネルギー
太陽の軌道を電子のラブの公転軌道とすると、惑星の軌道は電子のラブの自転軌道とみなす事ができる。
太陽の軌道を電子のラブの公転軌道（＝電気の光子の軌道）とすると、惑星の軌道は磁気の光子の軌道とみなす事ができる。
☆  次に、銀河系を２億５千万年で回転することについて。
▲１▼  走る距離について。
太陽の走る距離は、２．８×１０４×２×３．１４×９．４６×１０１５ｍ＝１．６６×１０２１ｍです。
太陽系は腕を１週するとき、銀河系を何ｍ進むか。
１．６６×１０２１ｍ÷１２５回＝１．３２８×１０１９ｍ進みます。
腕を１回転し、らせん状に、１．３２８×１０１９ｍ進みます。
太陽系は２００万年走り、腕を１週し、１３００×３．１４×９．４６×１０１５ｍ＝３．８６×１０１９ｍ走る。そして、銀河系を１．３２８×１０１９ｍ進みます。
太陽系は２億５０００万年走って、腕を１２５週し、３．８６×１０１９ｍ×１２５＝４．８２５×１０２１ｍ走る。
そして、銀河系を、１．３２８×１０１９ｍ×１２５＝１．６６×１０２１ｍ進みます。
太陽の走った距離は、４．８２５×１０２１ｍです。
地球の走った距離は、３×１０１１ｍ×３．１４×２×１０４回×１２５回＝２．３５９×１０１８ｍです。
水星の走った距離は、１．１５８×１０１１ｍ×３．１４×２×１０４回×１２５回＝９．０９×１０１７ｍです。
太陽の走った距離：地球の走った距離：水星の走った距離＝４．８２５×１０２１ｍ：２．３５９×１０１８ｍ：９．０９×１０１７ｍ＝５．３×１０３：６．４９：１
▲２▼  回転数について。
太陽は１２５回転する。
地球は１２５×２×１０６＝２．５×１０８回転する。
水星は１２５×８．３×１０６＝１．０３７５×１０９回転する。
▲３▼  運動量について。運動エネルギーについて。
太陽の運動量と運動エネルギーは、腕を回転する場合の１２５倍です。
地球の運動量と運動エネルギーは、腕を回転する場合の１２５倍です。
惑星の運動エネルギーの比については、腕を回転する場合と同じです。
太陽が銀河系を１週すると、運動量は、
運動量＝走った距離×質量＝１３００×３．１４×９．４６×１０１５ｍ×１２５×１．９８９×１０３０Ｋｇ＝９．６×１０５１ｍ・Ｋｇです。
地球が２×１０６回転×１２５回転する運動量は、
運動量＝走った距離×質量＝３×１０１１ｍ×３．１４×２×１０６×１２５×５．９７４×１０２４Ｋｇ＝１．４０７×１０４５ｍ・Ｋｇです。
太陽の軌道エネルギーは、地球の軌道エネルギーの１０３倍ですから、
太陽の運動エネルギー＝太陽が走った距離×太陽の質量×太陽の軌道エネルギー＝１３００×３．１４×９．４６×１０１５ｍ×１２５×１．９８９×１０３０Ｋｇ×１０３＝９．６×１０５４ｍ・Ｋｇ
地球の運動エネルギー＝地球が走った距離×地球の質量×地球の軌道エネルギー＝３×１０１１ｍ×３．１４×２×１０６×１２５×５．９７４×１０２４Ｋｇ×１＝１．４０７×１０４５ｍ・Ｋｇ
太陽の運動エネルギー：地球の運動エネルギー＝９．６×１０５４：１．４０７×１０４５＝６．８２×１０９：１
惑星の軌道エネルギーの比は、地球を１とすると、惑星の平均は、
０．１６＋１．１３＋１＋０．０６５８＋６１．３２＋９．９７＋０．７５＋０．５７÷８＝９．３７
それで、太陽の運動エネルギー：地球の運動エネルギー＝６．８２×１０９：１ですから、
太陽の運動エネルギー：惑星の平均の運動エネルギー：地球の運動エネルギー＝６．８２×１０９：９．３７：１＝７．３×１０８：１：０．１です。
よって、太陽の運動エネルギー：惑星の平均の運動エネルギー＝７．３×１０８：１です。
よって、太陽の運動エネルギーは、惑星の運動エネルギーの７．３×１０８倍である。
太陽の運動エネルギー：惑星の運動エネルギー＝７．３×１０８：１≒電子のラブの公転軌道エネルギー：電子のラブの自転軌道エネルギー＝電気の光子の軌道エネルギー：磁気の光子の軌道エネルギー
太陽の軌道を電子のラブの公転軌道とすると、惑星の軌道は電子のラブの自転軌道とみなす事ができる。
太陽の軌道を電子のラブの公転軌道（＝電気の光子の軌道）とすると、惑星の軌道は磁気の光子の軌道とみなす事ができる。
○銀河系における太陽と惑星の関係は、腕における太陽と惑星の関係を１２５倍したものです。
７．  宇宙はどのように回転しているか。
宇宙の中で、銀河は回転している。銀河の中で星は回転している。星は太陽のように回転している。星は腕を回転し、腕は銀河を回転する。それで、結局、星は銀河を螺旋状に回転している。
８．  Ｅ＝ｍｃ２で算出したエネルギーは爆発のエネルギーです。爆発のエネルギーでないエネルギーはどれ位なのか。爆発でないエネルギーはどのような式で求められるのか。図５
Ｅ＝ｍｃ２で算出した電子の質量ｍｇは、
８×１０−１４Ｊ＝ｍｇ×９×１０１６ｍ
ｍｇ＝８×１０−１４Ｊ÷（９×１０１６ｍ）＝０．８９×１０−３０Ｊ／ｍ＝０．８８９×１０−３０ｇです。
このエネルギーは爆発のエネルギーです。
Ｅ＝ｍｃ２で算出した陽子の質量ｍｇは、
１．５×１０−１０Ｊ＝ｍｇ×９×１０１６ｍ
ｍｇ＝１．５×１０−１０Ｊ÷（９×１０１６ｍ）＝１．６６７×１０−２７Ｊ／ｍ＝１．６６７×１０−２７ｇです。
このエネルギーは爆発のエネルギーです。
それでは、爆発のエネルギーでないエネルギーはどれ位なのか。
爆発でないエネルギーはどのような式で求められるのか。
本発明者は、運動エネルギーで考える。
この事は太陽の運動エネルギーから理解できます。
太陽の運動エネルギー＝太陽が走った距離×太陽の質量×太陽の軌道エネルギー
太陽の質量×太陽の軌道エネルギー＝太陽のエネルギー
太陽を粒子と考えます。
そうしますと、
粒子のエネルギー＝粒子の質量×粒子の軌道エネルギー
粒子の運動エネルギー＝粒子が走った距離×粒子の質量×粒子の軌道エネルギー
粒子が電子の場合。
電子の１秒間の運動エネルギー＝電子が１秒間に走った距離×粒子の質量×粒子の軌道エネルギー
粒子の軌道エネルギー＝ｘとします。
８×１０−１４Ｊ＝３．１４×１．２５×１０−１０ｍ×１０１６回×０．８８９×１０−３０ｇ×ｘ
ｘ＝８×１０−１４Ｊ÷（３．１４×１．２５×１０−１０ｍ×１０１６回×０．８８９×１０−３０ｇ）＝２．２９×１０１０Ｊ
粒子が陽子の場合。
陽子の１秒間の運動エネルギー＝陽子が１秒間に走った距離×粒子の質量×粒子の軌道エネルギー
粒子の軌道エネルギー＝ｙとします。
８×１０−１４Ｊ＝３．１４×６．６７×１０−１４ｍ×１０１６回×１．６６７×１０−２７ｇ×ｙ
ｙ＝８×１０−１４Ｊ÷（３．１４×６．６７×１０−１４ｍ×１０１６回×１．６６７×１０−２７ｇ）＝２．２９×１０１０Ｊ
よって、電子の場合も陽子の場合も、粒子の軌道エネルギーは２．２９×１０１０Ｊです。
運動エネルギーの場合。
粒子のエネルギー＝粒子の質量×粒子の軌道エネルギー  ですから、
粒子のエネルギー＝粒子の質量×２．２９×１０１０Ｊです。
よって、爆発の場合、
粒子のエネルギーは、Ｅ＝ｍｃ２ですが、
運動エネルギーの場合、
粒子のエネルギーは、Ｅ＝粒子の質量×２．２９×１０１０Ｊ＝２．２９×１０１０Ｊ×ｍです。
Ｅ＝ｍｋとしてあらわすと、ｋ＝２．２９×１０１０Ｊです。
この事は、原子の中の軌道エネルギーは、この空中のエネルギーの２．２９×１０１０倍であるという事です。
この式で得る、電子のエネルギーは、
Ｅ＝０．８８９×１０−３０ｇ×２．２９×１０１０Ｊ＝２×１０−２０Ｊです。
陽子のエネルギーは、
Ｅ＝１．６６７×１０−２７ｇ×２．２９×１０１０Ｊ＝３．８１７×１０−１７Ｊです。
よって、
電子の１秒間の運動エネルギー＝電子が１秒間に走った距離×粒子の質量×粒子の軌道エネルギー＝電子が１秒間に走った距離×粒子のエネルギー＝電子が１秒間に走った距離×電子のエネルギー
８×１０−１４Ｊ＝３．１４×１．２５×１０−１０ｍ×１０１６回×０．８８９×１０−３０ｇ×２．２９×１０１０Ｊ＝３．１４×１．２５×１０−１０ｍ×１０１６回×２×１０−２０Ｊ
陽子の１秒間の運動エネルギー＝陽子が１秒間に走った距離×粒子の質量×粒子の軌道エネルギー＝陽子が１秒間に走った距離×粒子のエネルギー＝陽子が１秒間に走った距離×陽子のエネルギー
８×１０−１４Ｊ＝３．１４×６．６７×１０−１４ｍ×１０１６回×１．６６７×１０−２７ｇ×２．２９×１０１０Ｊ＝３．１４×６．６７×１０−１４ｍ×１０１６回×３．８１７×１０−１７Ｊ
【発明の効果】
【０００６】１．太陽系がオリオンの腕を回転しながら、銀河系を回転している事が理解できた。
２．この事により、星は腕を回転しながら銀河を回転している事が理解できた。
３．オリオンの腕を回転するとき、太陽の軌道を、惑星たちはクロス回転している。
４．太陽の軌道を、惑星たちはクロス回転している様子は、電子が自転しながら公転している様子と相似である事が理解できた。
５．太陽の運動エネルギーから粒子の運動エネルギーが理解できた。
６．粒子の運動エネルギーの式から、運動している粒子のエネルギーを求める式が理解できた。
７．Ｅ＝粒子の質量×２．２９×１０１０＝２．２９×１０１０×ｍです。
【図面の簡単な説明】
【０００７】
【図１】太陽系は腕を２００万年で１週するから、銀河系を１週するとき、腕を、１２５回転する。太陽系は腕の周りを３．８６×１０１９ｍ走り１回転し、銀河系を１．３３×１０１９ｍ進む。
【図２】太陽系がオリオンの腕を１週するとき、地球は２×１０６回転する。太陽系は１年に腕を１．９３×１０１３ｍ走る。
【図３】太陽系の惑星は、太陽の軌道に対し垂直にクロス回転している。地球の北極と南極を示す軸は惑星の回転軌道に対し垂直です。よって、地球の北極と南極を示す軸は太陽の軌道と同じ方向です。太陽が１８０度回転すると、地球の北極と南極を示す軸は１８０度回転する。それで、北極と南極は入れ替わる。
【図４】太陽の軌道：水星の軌道＝１０８：１＝電子のラブの公転軌道：電子のラブの自転軌道＝電気の光子の軌道：磁気の光子の軌道  太陽は１回転する。地球は２×１０６回転する。水星は８．３×１０６回転する。太陽の運動エネルギー：惑星の平均運動エネルギー＝７．３×１０８：１≒電子のラブの公転軌道エネルギー：電子のラブの自転軌道エネルギー＝電気の光子の軌道エネルギー：磁気の光子の軌道エネルギー
【図５】電子のラブの１秒間の運動エネルギー＝電子のラブが１秒間に走った距離×粒子の質量×粒子の軌道エネルギー＝電子が１秒間に走った距離×粒子のエネルギー＝電子が１秒間に走った距離×電子のエネルギー＝８×１０−１４Ｊ＝３．１４×１．２５×１０−１０ｍ×１０１６回×０．８８９×１０−３０ｇ×２．２９×１０１０Ｊ＝３．１４×１．２５×１０−１０ｍ×１０１６回×２×１０−２０Ｊ  ｋ＝２．２９×１０１０Ｊです。
【符号の説明】
【０００８】１  太陽系が回転する銀河系
２  オリオンの腕＝太陽の軌道
３  太陽
４  地球
５  惑星達
６  地球の南極と北極を示す軸
７  水星
８  電子のラブ
９  電子のラブの公転軌道
【図１】
2006217793.tif 000003
【図２】
2006217793.tif 000004
【図３】
2006217793.tif 000005
【図４】
2006217793.tif 000006
【図５】
2006217793.tif 000007